【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
光束を偏向して被走査面を主走査方向に走査する偏向器と、
副走査断面内において前記偏向器の偏向面に光束を斜入射させる入射光学系と、
ｆθ特性を有し、前記偏向面にて偏向された光束を前記被走査面に導く結像光学系と、
前記偏向面にて偏向された光束を受光して第１の信号を生成する受光部とを備え、
前記結像光学系は、前記偏向器と前記被走査面との間に配置されており、
副走査断面内における前記入射光学系からの光束の前記偏向面に対する入射角をα（ｄｅｇ）、主走査断面内における前記偏向面に入射する光束と前記偏向面にて偏向され前記受光部に向かう光束との成す角をβ（ｄｅｇ）とするとき、
｜β｜≦｜α｜
なる条件を満足することを特徴とする光走査装置。
【請求項２】
１．５≦｜α｜≦１０
０≦｜β｜≦５．０
なる条件のうち少なくとも一方を満足することを特徴とする請求項１に記載の光走査装置。
【請求項３】
１．５≦｜α｜≦５．０
０≦｜β｜≦３．０
なる条件のうち少なくとも一方を満足することを特徴とする請求項１に記載の光走査装置。
【請求項４】
前記偏向面に入射する光束と前記偏向面にて偏向され前記受光部に向かう光束とは、主走査断面内において一致することを特徴とする請求項１乃至３の何れか一項に記載の光走査装置。
【請求項５】
前記受光部は、前記偏向器の回転方向において前記入射光学系よりも下流側に配置されていることを特徴とする請求項１乃至３の何れか一項に記載の光走査装置。
【請求項６】
主走査断面内において、前記入射光学系と前記偏向面との間及び前記偏向面と前記受光部との間の光路は、光束の主光線が屈折も反射もしない光路であることを特徴とする請求項１乃至５の何れか一項に記載の光走査装置。
【請求項７】
前記入射光学系は光束を集光する第１の光学素子を含み、前記受光部は光束を集光する第２の光学素子を含み、前記第１及び第２の光学素子は互いに一体的に形成されていることを特徴とする請求項１乃至６の何れか一項に記載の光走査装置。
【請求項８】
光束を射出する光源を備え、前記受光部は光束を受光する光電変換素子を含み、前記光源及び前記光電変換素子は同一基板上に実装されていることを特徴とする請求項１乃至７の何れか一項に記載の光走査装置。
【請求項９】
前記入射光学系及び前記結像光学系は、互いに一体的に形成された共通の光学素子を含まないことを特徴とする請求項１乃至８の何れか一項に記載の光走査装置。
【請求項１０】
前記入射光学系は、前記結像光学系から離間して配置された光学素子を含むことを特徴とする請求項１乃至９の何れか一項に記載の光走査装置。
【請求項１１】
前記光学素子は、前記結像光学系の光軸方向において前記偏向器及び前記結像光学系の間に配置されていることを特徴とする請求項１０に記載の光走査装置。
【請求項１２】
前記入射光学系を複数備え、前記偏向面は該複数の入射光学系からの光束を偏向して複数の被走査面を走査することを特徴とする請求項１乃至１１の何れか一項に記載の光走査装置。
【請求項１３】
前記複数の入射光学系からの夫々の光束の前記偏向面に対する入射角は、主走査断面内において互いに異なることを特徴とする請求項１２に記載の光走査装置。
【請求項１４】
前記複数の入射光学系からの夫々の光束の前記偏向面に対する入射角の絶対値は、副走査断面内において互いに等しいことを特徴とする請求項１２又は１３に記載の光走査装置。
【請求項１５】
前記複数の入射光学系は一体的に形成された共通の光学素子を含み、該共通の光学素子は前記偏向面にて偏向された光束を前記受光部に導くことを特徴とする請求項１２乃至１４の何れか一項に記載の光走査装置。
【請求項１６】
前記第１の信号は、前記被走査面での主走査方向における書き出し位置を決定するための信号であることを特徴とする請求項１乃至１５の何れか一項に記載の光走査装置。
【請求項１７】
前記第１の信号に基づいて前記被走査面での主走査方向における書き出し位置を決定する制御回路を備えることを特徴とする請求項１乃至１６の何れか一項に記載の光走査装置。
【請求項１８】
光束を射出する光源を備え、前記入射光学系は、主走査断面内においては光束を被走査領域の外側から前記偏向面に入射させており、前記光源は、主走査断面内において前記入射光学系からの光束が前記偏向面に垂直入射するタイミングに、光束を射出することを特徴とする請求項１乃至１７の何れか一項に記載の光走査装置。
【請求項１９】
前記タイミングに前記光源から出射する光束を受光して第２の信号を生成する光検出部を備えることを特徴とする請求項１８に記載の光走査装置。
【請求項２０】
前記光検出部は、前記タイミングの前から前記タイミングの後にかけて連続的に光束を受光することを特徴とする請求項１９に記載の光走査装置。
【請求項２１】
前記第２の信号に基づいて前記光源の発光光量を制御する光量制御部を備えることを特徴とする請求項１９又は２０に記載の光走査装置。
【請求項２２】
前記光量制御部は、前記光源から出射する光束が被走査領域を通過する間には、前記光源の発光光量を制御しないことを特徴とする請求項２１に記載の光走査装置。
【請求項２３】
前記光検出部は、前記タイミングに前記光源から前記偏向面とは反対側に出射する光束を受光することを特徴とする請求項１９乃至２２の何れか一項に記載の光走査装置。
【請求項２４】
前記光検出部は、前記タイミングに前記偏向面にて反射された光束を受光することを特徴とする請求項１９乃至２２の何れか一項に記載の光走査装置。
【請求項２５】
前記光源からの光束を、前記偏向面に向かう光束と前記光検出部に向かう光束とに分離する光分離素子を有することを特徴とする請求項１９乃至２４の何れか一項に記載の光走査装置。
【請求項２６】
前記受光部は、前記タイミングに前記偏向面にて反射された光束を受光して前記第１の信号を生成することを特徴とする請求項１９乃至２５の何れか一項に記載の光走査装置。
【請求項２７】
請求項１乃至２６の何れか一項に記載の光走査装置と、該光走査装置により前記被走査面に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【請求項２８】
請求項１乃至２６の何れか一項に記載の光走査装置と、外部機器から出力された色信号を画像データに変換して前記光走査装置に入力するプリンタコントローラとを備えることを特徴とする画像形成装置。
【手続補正２】
【補正対象書類名】明細書
【補正対象項目名】０００７
【補正方法】変更
【補正の内容】
【０００７】
上記目的を達成するための、本発明の一側面としての光走査装置は、光束を偏向して被走査面を主走査方向に走査する偏向器と、副走査断面内において前記偏向器の偏向面に光束を斜入射させる入射光学系と、ｆθ特性を有し、前記偏向面にて偏向された光束を前記被走査面に導く結像光学系と、前記偏向面にて偏向された光束を受光して第１の信号を生成する受光部とを備え、前記結像光学系は、前記偏向器と前記被走査面との間に配置されており、副走査断面内における前記入射光学系からの光束の前記偏向面に対する入射角をα（ｄｅｇ）、主走査断面内における前記偏向面に入射する光束と前記偏向面にて偏向され前記受光部に向かう光束との成す角をβ（ｄｅｇ）とするとき、｜β｜≦｜α｜なる条件を満足することを特徴とする。